【手続補正書】
【提出日】平成18年1月4日(2006.1.4)
【手続補正１】
【補正対象書類名】特許請求の範囲
【補正対象項目名】全文
【補正方法】変更
【補正の内容】
【特許請求の範囲】
【請求項１】
システム入力ビデオ信号と、
出力部に第１デイスプレー入力ビデオ信号を提供するために該システム入力ビデオ信号を増幅するための第１利得を有する第１増幅器と、
１端で該第１増幅器出力部に接続された第１結合キャパシターであって、該第１デイスプレー入力ビデオ信号に第１直流レベルオフセットを提供する第１結合キャパシターと、
液晶デイスプレーデバイスであるが、該デイスプレーデバイスを駆動するための該第１デイスプレー入力ビデオ信号を受けるために該第１結合キャパシターのもう１端に接続された第１ビデオ入力部を備える該液晶デイスプレーデバイスを具備しており、
該デイスプレーデバイスは、該第１ビデオ入力部に接続されており、該第１結合キャパシターに直流回復を提供する、中に集積化された第１スイッチを備えている
ことを特徴とする液晶デイスプレーシステム。
【請求項２】
システム入力ビデオ信号と、
出力部に増幅されたシステム入力ビデオ信号を提供するために該システム入力ビデオ信号に接続されたスイッチ可能な利得極性を備える増幅器と、
第１直流レベルオフセットを有する第１デイスプレー入力ビデオ信号を提供するために１端で該増幅器出力部に接続された第１結合キャパシターと、
第２直流レベルオフセットを有する第２デイスプレー入力ビデオ信号を提供するために１端で該増幅器出力部に接続された第２結合キャパシターと、
液晶デイスプレーデバイスであるが、該デイスプレーデバイスを駆動するように、該第１デイスプレー入力ビデオ信号を受けるために該第１結合キャパシターのもう１端に接続された第１ビデオ入力部と、該第２デイスプレー入力ビデオ信号を受けるために該第２結合キャパシターのもう１端に接続された第２ビデオ入力部と、を備える該液晶デイスプレーデバイスと、
該第１結合キャパシターに直流回復を提供する第１スイッチと、
該第２結合キャパシターに直流回復を提供する第２スイッチと
を具備することを特徴とする液晶デイスプレーシステム。
【請求項３】
システム入力ビデオ信号と、
１端で該システム入力ビデオ信号に接続された第１結合キャパシターであって、第１直流レベルオフセットを有する第１デイスプレー入力ビデオ信号を提供する第１結合キャパシターと、
該デイスプレーデバイスを駆動するための第１デイスプレー入力ビデオ信号を受けるために該第１結合キャパシターのもう１端に接続された第１ビデオ入力部を備えた液晶デイスプレーデバイスとを具備しており、
該デイスプレーデバイスは該第１ビデオ入力部に接続されており、該第１結合キャパシターに直流回復を提供する、中に集積化された第１スイッチを備えていることを特徴とする液晶デイスプレーシステム。
【請求項４】
システム入力ビデオ信号と、
増幅されたシステム入力ビデオ信号を提供するために該システム入力ビデオ信号に接続されたスイッチ可能な利得極性を備える増幅器手段と、
第１直流レベルオフセットを有する第１デイスプレー入力ビデオ信号を提供するために１端で該増幅器出力部に接続された第１交流結合手段と、
第２直流レベルオフセットを有する第２デイスプレー入力ビデオ信号を提供するために１端で該増幅器出力部に接続された第２交流結合手段と、
液晶デイスプレー手段であるが、該デイスプレーデバイスを駆動するための、該第１デイスプレー入力ビデオ信号を受けるために該第１交流結合手段のもう１端に接続された第１ビデオ入力部と、該第２デイスプレー入力ビデオ信号を受けるために該第２交流結合手段のもう１端に接続された第２ビデオ入力部と、を備える該液晶デイスプレー手段と、
該第１交流結合手段に直流回復を提供する第１スイッチ手段と、
該第２交流結合手段に直流回復を提供する第２スイッチ手段と
を具備することを特徴とする液晶デイスプレーシステム。
【請求項５】
直流レベルオフセットを有するデイスプレー入力ビデオ信号を接続するための交流結合手段と、
該デイスプレーデバイスを駆動するための該デイスプレー入力ビデオ信号を受けるために該交流結合手段に接続されたビデオ入力部を備えるデイスプレー手段とを具備しており、
該デイスプレー手段は該ビデオ入力部に接続され、該交流結合手段に直流回復を提供する、中に集積化されたスイッチ手段を備えることを特徴とする液晶デイスプレーシステム。
【請求項６】
システム入力ビデオ信号を結合キャパシターの１端に接続する過程であって、該結合キャパシターは直流レベルオフセットを有するデイスプレー入力ビデオ信号を提供する過程と、
該結合キャパシターのもう１端に液晶デイスプレーデバイスを、該デイスプレーデバイスを駆動するための該デイスプレー入力ビデオ信号を受けるために、接続する過程と、
該システム入力ビデオ信号のリトレース期間中に、該結合キャパシターに直流回復を提供するために該デイスプレー入力ビデオ信号に接続され、該デイスプレーデバイス内に集積化されたスイッチを動作させる過程と
を具備することを特徴とする液晶デイスプレーを駆動する方法。
【請求項７】
デイスプレーデバイスを駆動する交流結合ビデオ信号を受けるためのビデオ入力部と、
リトレース期間中に該交流結合ビデオ信号に直流回復を提供する集積化スイッチを具備することを特徴とする液晶デイスプレーデバイス。
【手続補正２】
【補正対象書類名】明細書
【補正対象項目名】００４１
【補正方法】変更
【補正の内容】
【００４１】
本発明が特にその好ましい実施例を参照して示され、説明されたが、その中で形及び詳細で種々の変更が行われてもそれらが付属する請求項により包括された本発明の範囲から離れるものでないことは当業者には理解されるであろう。
本発明の好ましい態様を整理して記載すれば、下記のとおりである。
１．液晶デイスプレーシステムに於いて、該システムが
システム入力ビデオ信号と、
出力部に第１デイスプレー入力ビデオ信号を提供するために該システム入力ビデオ信号を増幅するための第１利得を有する第１増幅器と、
１端で該第１増幅器出力部に接続された第１結合キャパシターとを具備しており、該第１結合キャパシターは該第１デイスプレー入力ビデオ信号に第１直流レベルオフセットを提供し、該システムは又
液晶デイスプレーデバイスであるが、該デイスプレーデバイスを駆動するための該第１デイスプレー入力ビデオ信号を受けるために該第１結合キャパシターのもう１端に接続された第１ビデオ入力部を備える該液晶デイスプレーデバイスを具備しており、該デイスプレーデバイスは、該第１ビデオ入力部に接続され、該第１結合キャパシターに直流回復を提供する、中に集積化された第１スイッチを備えることを特徴とする該システム。
２．該第１の集積化されたスイッチが、該システム入力ビデオ信号のリトレース期間中に動作させられた時該第１結合キャパシターに直流回復を提供することを特徴とする上記１の該システム。
３．更に、第２デイスプレー入力ビデオ信号を提供するために該システム入力ビデオ信号を増幅するための第２利得を有する第２増幅器を具備しており、該第２利得は、該第２デイスプレー入力ビデオ信号が該第１デイスプレー入力ビデオ信号の相補的信号であるよう該第１利得の反対極性であり、該システムは又
１端で該第２増幅器出力部に接続された第２結合キャパシターを具備しており、該第２結合キャパシターは該第２デイスプレー入力ビデオ信号に第２直流レベルオフセットを提供しており、
該液晶デイスプレーデバイスは、該デイスプレーデバイスを駆動するための第２デイスプレー入力ビデオ信号を受けるために該第２結合キャパシターのもう１端に接続された第２ビデオ入力部を備えており、該デイスプレーデバイスは該第２ビデオ入力部に接続された、該第２結合キャパシターに直流回復を提供する、中に集積化された第２スイッチを備えることを特徴とする上記１の該システム。
４．該第１及び第２集積化スイッチは、該システム入力ビデオ信号のリトレース期間中に動作させられた時それぞれ該第１及び第２結合キャパシターに直流回復を提供することを特徴とする上記３の該システム。
５．該デイスプレーデバイスは該第１集積化スイッチのゲート動作用電極に電圧スイングを提供するためのブートストラッピング回路を備えることを特徴とする上記１の該システム。
６．該デイスプレーデバイスが更に該集積化スイッチに接続された電荷注入打ち消し回路を備えることを特徴とする上記５の該システム。
７．該システム入力ビデオ信号のフレームが列反転、行反転、画素反転、そしてフレーム反転の何れかを使うことを特徴とする上記１の該システム。
８．液晶デイスプレーシステムに於いて、該システムが
システム入力ビデオ信号と、
出力部に増幅されたシステム入力ビデオ信号を提供するために該システム入力ビデオ信号に接続されたスイッチ可能な利得極性を備える増幅器と、
第１直流レベルオフセットを有する第１デイスプレー入力ビデオ信号を提供するために１端で該増幅器出力部に接続された第１結合キャパシターと、
第２直流レベルオフセットを有する第２デイスプレー入力ビデオ信号を提供するために１端で該増幅器出力部に接続された第２結合キャパシターと、
液晶デイスプレーデバイスであるが、該デイスプレーデバイスを駆動するように、該第１デイスプレー入力ビデオ信号を受けるために該第１結合キャパシターのもう１端に接続された第１ビデオ入力部と、該第２デイスプレー入力ビデオ信号を受けるために該第２結合キャパシターのもう１端に接続された第２ビデオ入力部と、を備える該液晶デイスプレーデバイスと、
該第１結合キャパシターに直流回復を提供する第１スイッチと、そして
該第２結合キャパシターに直流回復を提供する第２スイッチと、を具備することを特徴とする該システム。
９．該第１及び第２スイッチが該デイスプレーデバイスの外部にあることを特徴とする上記８の該システム。
１０．該第１及び第２スイッチが該デイスプレーデバイス内に集積化されることを特徴とする上記８の該システム。
１１．該第１及び第２スイッチが、該システム入力ビデオ信号のリトレース期間中に動作させられた時、それぞれ該第１及び第２結合キャパシターに直流回復を提供することを特徴とする上記８の該システム。
１２．液晶デイスプレーシステムに於いて、該システムが
システム入力ビデオ信号と、
１端で該システム入力ビデオ信号に接続された第１結合キャパシターと、を具備しており、該第１結合キャパシターは第１直流レベルオフセットを有する第１デイスプレー入力ビデオ信号を提供しており、該システムは又
液晶デイスプレーデバイスであるが、該デイスプレーデバイスを駆動するための第１デイスプレー入力ビデオ信号を受けるために該第１結合キャパシターのもう１端に接続された第１ビデオ入力部を備えた該液晶デイスプレーデバイスを具備しており、該デイスプレーデバイスは該第１ビデオ入力部に接続され、該第１結合キャパシターに直流回復を提供する、中に集積化された第１スイッチを備えることを特徴とする該システム。
１３．該第１集積化スイッチが、該システム入力ビデオ信号のリトレース期間中に動作させられた時該第１結合キャパシターに直流回復を提供することを特徴とする上記１２の該システム。
１４．更に、１端で該システム入力ビデオ信号に接続された第２結合キャパシターを具備しており、該第２結合キャパシターは第２直流レベルオフセットを有する第２デイスプレー入力ビデオ信号を提供しており、
該液晶デイスプレーデバイスは該デイスプレーデバイスを駆動するための該第２デイスプレー入力ビデオ信号を受けるために該第２結合キャパシターのもう１端に接続された第２ビデオ入力部を備えており、該デイスプレーデバイスは該第２ビデオ入力部に接続され、該第２結合キャパシターに直流回復を提供する、中に集積化された第２スイッチを備えることを特徴とする上記１２の該システム。
１５．該第１及び第２集積化スイッチが、該システム入力ビデオ信号のリトレース期間中に動作させられた時それぞれ該第１及び第２結合キャパシターに直流回復を提供することを特徴とする上記１４の該システム。
１６．該デイスプレーデバイスが該第１集積化スイッチのゲート動作用電極に電圧スイングを提供するためのブートストラッピング回路を備えることを特徴とする上記１２の該システム。
１７．該デイスプレーデバイスが更に該集積化スイッチに接続された電荷注入打ち消し回路を備えることを特徴とする上記１６の該システム。
１８．液晶デイスプレーシステムに於いて、該システムが
システム入力ビデオ信号と、
増幅されたシステム入力ビデオ信号を提供するために該システム入力ビデオ信号に接続されたスイッチ可能な利得極性を備える増幅器手段と、
第１直流レベルオフセットを有する第１デイスプレー入力ビデオ信号を提供するために１端で該増幅器出力部に接続された第１交流結合手段と、
第２直流レベルオフセットを有する第２デイスプレー入力ビデオ信号を提供するために１端で該増幅器出力部に接続された第２交流結合手段と、
液晶デイスプレー手段であるが、該デイスプレーデバイスを駆動するための、該第１デイスプレー入力ビデオ信号を受けるために該第１交流結合手段のもう１端に接続された第１ビデオ入力部と、該第２デイスプレー入力ビデオ信号を受けるために該第２交流結合手段のもう１端に接続された第２ビデオ入力部と、を備える該液晶デイスプレー手段と、
該第１交流結合手段に直流回復を提供する第１スイッチ手段と、そして
該第２交流結合手段に直流回復を提供する第２スイッチ手段とを具備することを特徴とする該システム。
１９．液晶デイスプレーシステムに於いて、該システムが
直流レベルオフセットを有するデイスプレー入力ビデオ信号を接続するための交流結合手段と、
デイスプレー手段であるが、該デイスプレーデバイスを駆動するための該デイスプレー入力ビデオ信号を受けるために該交流結合手段に接続されたビデオ入力部を備える該デイスプレー手段とを具備しており、該デイスプレー手段は該ビデオ入力部に接続され、該交流結合手段に直流回復を提供する、中に集積化されたスイッチ手段を備えることを特徴とする該システム。
２０．液晶デイスプレーを駆動する方法に於いて、該方法が、
システム入力ビデオ信号を結合キャパシターの１端に接続する過程を具備しており、該結合キャパシターは直流レベルオフセットを有するデイスプレー入力ビデオ信号を提供しており、該方法は又
該結合キャパシターのもう１端に液晶デイスプレーデバイスを、該デイスプレーデバイスを駆動するための該デイスプレー入力ビデオ信号を受けるために、接続する過程と、
該システム入力ビデオ信号のリトレース期間中に、該結合キャパシターに直流回復を提供するために該デイスプレー入力ビデオ信号に接続され、該デイスプレーデバイス内に集積化されたスイッチを動作させる過程と、を具備することを特徴とする該方法。
２１．液晶デイスプレーデバイスに於いて、該デバイスが
該デイスプレーデバイスを駆動する交流結合ビデオ信号を受けるためのビデオ入力部と、
リトレース期間中に該交流結合ビデオ信号に直流回復を提供する集積化スイッチを具備することを特徴とする該デバイス。
２２．更に、該第１交流結合ビデオ信号の相補的信号である第２交流結合ビデオ信号を受けるための第２ビデオ入力部と、そして
該第２交流結合ビデオ信号に直流回復を提供する第２集積化スイッチと、を具備することを特徴とする上記２１の該デバイス。